(57)【特許請求の範囲】
【請求項１】
複数のシーン組を有し、各シーン組が複数のシーンを含み、
現在のシーンの状態パラメータ及び／又は過去のシーンの履歴に基づき、各組シーンにおける複数のシーンの優先順位を動態的に計算し、
シーンの変化を引き起こす事件が、ユーザーによるシーンの選択操作、現在のシーン状態パラメータの変化及び／又は異なる時間点での状態パラメータの組み合わせの変化を含み、
事件とシーンの切り替え規則は、事件とそれに対応する一つのシーン組の権限対応表であり、
事件及び該事件とシーンの切り替え規則に基づき、事件に対応する一つのシーン組を特定し、かつ優先順位に従ってシーンを順次に切り替える、
ことを含むことを特徴とするスマートホームシーンの切り替え方法。
【請求項２】
事件とシーンの切り替え規則は、事件とそれに対応するシーンの権限対応表であり、
事件及び該事件とシーンの切り替え規則に基づき、事件に対応するシーンを特定し、かつ優先順位に従ってシーンを切り替えることを特徴とする請求項１に記載の方法。
【請求項３】
現在のシーンの状態パラメータは、環境状態パラメータ、時間情報、位置情報及び家電の作業状態を含むことを特徴とする請求項１または２に記載の方法。
【請求項４】
環境状態パラメータは、ドアのロック状態、温度、湿度、人員情報、及び／又は光照度を含むことを特徴とする請求項３に記載の方法。
【請求項５】
過去のシーンの履歴は、過去のシーンの使用頻度を含むことを特徴とする請求項１または２に記載の方法。
【請求項６】
シーン設定モジュールと、事件入力モジュールと、シーン切り替え制御センターモジュールとを含むスマートホームシーン切り替えシステムにおいて、
複数のシーン組を有し、各シーン組が複数のシーンを含み、
シーン設定モジュールは、ユーザーにより設定されたシーン情報を受信し、かつそれをシーン切り替え制御センターモジュールに送信するのに用いられ、該シーン情報は時間情報と、状態情報と、制御目標情報とを含み、
事件入力モジュールは、現在のシーンの状態パラメータを取得し、シーンの変化を引き起こす事件を生成し、かつそれをシーン切り替え制御センターモジュールに送信するのに用いられ、
シーン切り替え制御センターモジュールは、現在のシーンの状態パラメータ及び／又は過去のシーンの履歴に基づき、各組シーンにおける複数のシーンの優先順位を動態的に計算するのに用いられ、さらにシーンの変化を引き起こす事件、及び該事件とシーンの切り替え規則に基づき、事件に対応する一つのシーン組を特定し、かつ優先順位に従ってシーン情報を出力するのに用いられ、
事件とシーンの切り替え規則は、事件とそれに対応する一つのシーン組の権限対応表であることを特徴とするスマートホームシーンの切り替えシステム。
【請求項７】
シーン切り替え制御センターモジュールから出力されたシーン情報を確認するためのシーン選択モジュールをさらに含むことを特徴とする請求項６に記載のシステム。
【請求項８】
シーン切り替え制御センターモジュールから出力されたシーン情報に基づき、ホーム設備がシーン制御目標に合致させるように、ホーム設備の作業状態を調整するためのシーン執行モジュールをさらに含むことを特徴とする請求項６に記載のシステム。
【請求項９】
条件に合致する予備シーンをチェック及び選択し、かつ確認された予備シーンをシーン切り替え制御センターモジュールに送信するためのシーン予備モジュールをさらに含むことを特徴とする請求項６に記載のシステム。
【請求項１０】
現在のシーンの状態パラメータは、環境状態パラメータ、時間情報、位置情報、及び家電の作業状態を含むことを特徴とする請求項６〜９のいずれか１項に記載のシステム。
【請求項１１】
環境状態パラメータは、ドアのロック状態、温度、湿度、人員情報、及び／又は光照度を含むことを特徴とする請求項１０に記載のシステム。
【請求項１２】
過去のシーンの履歴は、過去のシーンの使用頻度を含むことを特徴とする請求項６〜９のいずれか１項に記載のシステム。
【発明の詳細な説明】
【技術分野】
【０００１】
本発明は、スマートホーム制御の技術分野に関し、特にスマートホームシーンの切り替え方法及びシステムに関する。
【背景技術】
【０００２】
シーン（scence）は、場合と環境を含み、つまりある特定の場合の環境を指す。スマートホームにおけるシーン制御に含まれる意味とは、ある特定の場合、特別な需要に応じて、ライト、バックグラウンドミュージック、及び他の家庭用スマート設備を制御することにより、使用者に最も優れる効果体験を与えることを指す。
【０００３】
例えば、シーン１：朝起きる際に、寝室でチャイムや音楽のリマインドがあり、カーテンをオープンし、必要に応じて照明を徐々に明るくする。シーン２：食事する際に、リビングに明るい照明及び食欲を促進するバックグラウンドミュージックがある。シーン３：夜寝る前に、カーテンが自動的に閉まり、照明が徐々に暗くなるとともに、ライトミュージックを聞きながら睡眠を促進する。シーン４：留守番の際に、全部の照明及びバックグラウンドミュージックが停止し、セキュリティーシステムが起動する。
【０００４】
通常、スマートホームシーンの切り替えは、一つの制御センターにより、一つの家庭内のすべての家電の協調的な制御を行うこともできるし、制御の策略を家庭内のある１個又は一部の家電に直接統合することにより、シーン切り替えの制御を直接実現することもできる。例えば、以下の３つの公知技術は、ホームシーンの制御に係る特許文献である。
【０００５】
（１）出願番号が２０１１１０２３９５７８.９である発明特許は、ネットワークにより制御指令を入力し、ホームを遠距離で制御する目的を実現し、ホーム設備への遠距離での切り替えの制御の問題を解決できるスマートホーム制御におけるサーバー及びその制御システムを開示している。該特許発明は、ホーム設備への遠距離制御を実現するものであり、ホームの現在のシーン又は過去のシーンに基づいて分析しておらず、ユーザーの制御指令に従って作業するに過ぎず、ユーザーが具体的な制御操作案を提供する必要があるので、ホームシーンの切り替え効率が低い。
【０００６】
（２）出願番号が２０１１１０４２５０８９.２である発明特許は、環境適応シーンモデルを有するスマートホーム集中制御装置を開示している。環境感知装置を設定することにより、環境変化に応じてシーンモデルにおける各パラメータを調整し、ユーザーが手動で調整する手間を省く。該発明が採用するシーンの切り替え方式における制御される条件は単一であり、温度、湿度、及び照度等の環境パラメータが同じであるため、異なる位置及び異なる時間において、スマートホームシーンの要求は大きく異なる。
【０００７】
（３）出願番号が２０１２１０３５３９４４.８である発明特許は、自主学習型シーンスマートホームシステムを開示している。該発明は、ユーザーがシーンに対する好みを取得し、好みによってホーム設備を調整することにより、ユーザーがシーンへの切り替え操作を簡素化することができる。現在のシーンの状態パラメータの変化について、ユーザーの好みによってホームシーンを切り替えるので、状態パラメータの変化のホーム設備への影響要素を十分に考慮しておらず、切り替えられたホームシーンがユーザーの期待に達しない可能性がある。ユーザーの好みは過去のシーンに対して設定されたパラメータであり、現在のシーンの状態パラメータの変化要素が考慮されていないからである。
【０００８】
このように、従来のスマートホームシーンの切り替えには不足があり、少なくとも以下の問題点がある。すなわち、ホームシーン切り替え設備について、シーンモデルに詳しくない場合、ユーザーがシーン切り替えへの選択効率が低い。指定環境の場合、通常、一つのシーン切り替えモデルしかなく、切り替える必要のあるシーンは予め設定されるものであり、切り替えられた後のシーンがユーザーの要求を満足する可能性が低い。一部のホームシーン切り替えシステムには、シーン制御パラメータが変更できるものの、旧シーン切り替えパラメータを保存できないため、一部のシーン制御データがなくなり、それ以降のシーン切り替え選択に影響を及ぼす。
【発明の概要】
【０００９】
上記公知技術での問題を解決するために、本発明は、スマートホームシーン切り替えの選択を豊かにし、優先順位に従ってシーンを切り替えることにより、ユーザーのシーンへの切り替え選択を簡素化させ、これによりシーン切り替えの効率を高めるスマートホームシーン切り替え方法及びシステムを提供することを目的とする。さらに、過去のシーンの履歴が変更されていないので、それ以降のシーンの切り替えに信頼性のあるデータを提供できる結果、スマートホームシーン切り替えの信頼性及び安定性を確保できる。
【００１０】
一方、本発明は、スマートホームシーンの切り替え方法を提供する。該方法は、現在のシーンの状態パラメータ及び／又は過去のシーンの履歴に基づき、複数のシーンの優先順位を動態的に計算し、ユーザーがシーンへの選択操作及び／又は現在のシーン状態パラメータの変化、異なる時間点での状態パラメータの組み合わせ変化を含むシーンの変化を引き起こす事件と、事件及び該事件とシーンの切り替え規則、優先順位に従ってシーンを順次に切り替えることを含む。
【００１１】
本発明のスマートホームシーン切り替え方法において、事件及びシーンの切り替え規則は、事件とそれに対応するシーンの権限対応表であり、事件及び該事件とシーンの切り替え規則に基づき、事件に対応するシーンを特定し、かつ優先順位に従ってシーンを切り替える。
【００１２】
本発明のスマートホームシーン切り替え方法において、複数のシーン組を含み、各シーン組は複数のシーンを有する。現在のシーンの状態パラメータ及び／又は過去のシーンの履歴に基づき、各シーン組におけるシーンの優先順位を動態的に計算する。事件とシーンの切り替え規則は、事件とそれに対応するシーン組の権限対応表である。事件及びシーン切り替え規則により、事件に対応する一つのシーンを特定し、かつ優先順位で切り替えシーンに順番を付ける。
【００１３】
本発明のスマートホームシーン切り替え方法には、現在のシーンの状態パラメータは、環境状態パラメータ、時間情報、位置情報、及び家電の作業状態を含む。環境状態パラメータは、ドアのロック状態、温度、湿度、人員情報、及び／又は光照度を含む。過去のシーンの履歴は、過去のシーンの使用頻度を含む。
【００１４】
他方、本発明は、シーン設定モジュール、事件入力モジュール、及びシーン切り替え制御センターモジュールを含むスマートホームシーン切り替えシステムをさらに提供する。シーン設定モジュールは、ユーザーが設定したシーン情報を受信し、それをシーン切り替え制御センターモジュールに送信するためのものであり、該シーン情報は時間情報、状態情報及び制御目標情報を含む。事件入力モジュールは、現在のシーンの状態パラメータを取得し、シーンの変化を引き起こす事件を生成し、それをシーン切り替え制御センターモジュールに送信するためのものである。シーン切り替え制御センターモジュールは、現在のシーンの状態パラメータ及び／又は過去のシーンの履歴に基づき、複数のシーンの優先順位を動態的に計算し、さらにシーンの変化を引き起こす事件、及び該事件とシーンの切り替え規則に基づき、優先順位に従ってシーン情報を出力する。
【００１５】
本発明のスマートホームシーン切り替えシステムは、さらにシーン選択モジュールを含み、シーン切り替え制御センターモジュールが発信したシーン情報を確認するためのものである。
【００１６】
本発明のスマートホームシーン切り替えシステムは、さらにシーン執行モジュールを含み、シーン切り替え制御センターモジュールから出力されたシーン情報に基づき、ホーム設備の作業状態を調整することにより、ホーム設備がシーン制御目標に合致させるためのものである。
【００１７】
本発明のスマートホームシーン切り替えシステムは、さらにシーン予備モジュールを含み、条件に合致する予備シーンをチェック及び選択し、かつ確認された予備シーンをシーン切り替え制御センターモジュールに送信するためのものである。
【００１８】
本発明のスマートホームシーン切り替えシステムにおいて、現在のシーンの状態パラメータは、環境状態パラメータ、時間情報、位置情報、及び家電の作業状態を含む。環境状態パラメータは、ドアのロック状態、温度、湿度、人員情報、及び／又は光照度を含む。過去のシーンの履歴は、過去のシーンの使用頻度を含む。
【発明の効果】
【００１９】
本発明の有益な効果としては、本発明のスマートホームシーンの切り替え方法及びシステムは、現在のシーンの状態パラメータ及び／又は過去のシーンの履歴に基づき、優先順位を有する数組のシーンを動態的に計算し、スマートホームシーンの切り替えの選択を豊かにすることと、事件及び事件とシーンの切り替え規則に基づき、優先順位を有する一組のシーンを特定し、優先順位に従ってシーンを切り替えることにより、ユーザーのシーンへの切り替え選択を簡素化させ、さらにシーン切り替えの効率を高めることと、そのほか、本発明の場合、優先順位を有する数組のシーンを生成する際に、過去のシーンの履歴は変更されていないので、それ以降のシーンの切り替えに信頼性のあるデータを提供できる結果、スマートホームシーン切り替えの信頼性及び安定性を確保できることが挙げられる。
【図面の簡単な説明】
【００２０】
本発明を構成する一部の図面は、本発明を更なる理解するためのものである。本発明の概略的な実施例及びその説明は、本発明を解釈するためのものであり、本発明に対する不当な限定を加えるものではない。
【図１】本発明のスマートホームシーン切り替え方法のフロー概要図である。
【図２】本発明のスマートホームシーン切り替え方法のフロー概要図である。
【図３】本発明のスマートホームシーン切り替えシステムの構造概要図である。
【発明を実施するための形態】
【００２１】
以下は、明細書の図面を参照しながら本発明の具体的な実施の形態について詳しく説明する。なお、本発明は、請求項によって限定及びカバーされる複数の異なる方法によって実施できる。
【００２２】
本発明は、現在のシーンの状態パラメータ及び／又は過去のシーンの履歴に基づき、複数のシーンの優先順位を動態的に計算し、シーンの変化を引き起こす事件、及び該事件とシーンの切り替え規則に基づき、優先順位に従ってシーンを順次に切り替えることを含むスマートホームシーンの切り替え方法を提供する。
【００２３】
シーン変化を引き起こす事件は、ユーザーがシーンへの選択操作、現在のシーン状態パラメータの変化及び／又は異なる時間点での状態パラメータの組み合わせ変化を含む。少なくとも前記１種類の事件が発生する場合、対応する切り替え規則に基づき、シーンの切り替えを行う。異なる時間点での状態パラメータの組み合わせ変化は、仮想シーン事件であり、複数の異なる時間点での状態パラメータ変化を、一つの時間序列における動態的な変化としてまとめ、このような動態的な変化は、組み合わせ及び識別できるので、シーン切り替えを引き起こす。
【００２４】
図１に示すように、一つの実施例では、事件とシーンの切り替え規則は、事件とそれに対応するシーンの権限対応表である。本実施例では、事件及び該事件とシーンの切り替え規則に基づき、事件と対応するシーンを特定し、かつ優先順位に従ってシーンを切り替える。
【００２５】
図２に示すように、他の実施例では、本発明のスマートホームシーンの切り替え方法は、複数のシーン組を含み、各シーン組が複数のシーンを有する。事件とシチュエーションの切り替え規則は、事件とそれに対応する一つのシーン組の権限対応表である。
【００２６】
本実施例では、スマートホームシーンの切り替え方法は、具体的には以下のとおりである。現在のシーンの状態パラメータ及び／又は過去のシーンの履歴に基づき、各シーン組におけるシーンの優先順位を動態的に計算する。事件及とシーンの切り替え規則に基づき、事件に対応する一つのシーン組を特定し、かつ優先順位に従ってシーンを切り替える。
【００２７】
各事件は、優先順位を有する一組のシーンを有し、事件とシーンの切り替え規則は、事件とそれに対応する一組のシーンの権限対応表である。例えば、状態パラメータの変化に応じて対応するシーンを切り替え、ユーザーの操作に基づき、対応するシーンを切り替える。また、ユーザーは、さらに事件とシーンの切り替え規則を定義できる。具体的には、ユーザーが事件とシーンとの間における切り替え規則を定義する方式は、タッチパネル、スイッチ又は操作ボタン、又は通信インターフェースを通して交互通信の方式によって実現する。
【００２８】
本実施例では、シーンを切り替える場合、事件とシーンの切り替え規則に基づき、優先順位を有する数組のシーンにおいて、一組のシーンを確認し、該組のシーンの優先順位に従ってシーンを順次に切り替える。具体的に実現する場合、以下のボタンによる実現形態を例とすると、ユーザーが初めてボタンを押す場合は、順番が一位にあるシーンとなり、二回目にボタンを押す場合は、順番が第二位のシーンとなり、三回目にボタンを押す場合は、順番が第三位シーンとなり、・・・、このようになっている。他の実施例では、複数のボタンを設置し、各ボタンはそれぞれ順番付けられた一組のシーンに対応し、順番付けられた一組のシーンは、順次に順番付けられた複数のシーンを含み、ユーザーはボタン操作を通して、条件に合致するシーンを順次に切り替える。
【００２９】
現在のシーンの状態パラメータは、環境状態パラメータ、時間情報、位置情報及び家電の作業状態を含む。環境状態パラメータは、ドアのロック状態、温度、湿度、人員情報、光照度等のパラメータを含む。家電は、テレビ、エアコン、扇風機、デジタル写真立て、パソコンなどのホーム設備を含む。過去のシーンの履歴は、過去のシーンの使用頻度、例えば、過去の異なるシーンの使用頻度、ユーザーがあるシーンに対しての好み選択及びその使用頻度を含み、このような履歴は数組のシーンの優先順位の計算に適用される。具体的には、ユーザーがシーンへの使用頻度に基づき、優先順位を有する数組のシーンを計算する。
【００３０】
図３に示すように、本発明は、シーン設定モジュール、事件入力モジュール、シーン切り替え制御センターモジュール、シーン選択モジュール、シーン執行モジュール及びシーン予備モジュールを含むスマートホームシーンの切り替えシステムを提供する。シーン切り替え制御センターモジュールと他のモジュールとの間は、直接方式又は間接方式によって通信する。直接方式を採用する場合、回路接続によってデータを交換するが、間接方式を採用する場合、通信インターフェースによって通信の方式を通してデータを交換する。実際の必要に応じて、異なる通信方式を選択することにより、該システム通信が柔軟で信頼できるものにする。
【００３１】
シーン設定モジュールは、設定されるシーン情報を受信するためのものである。受信されるシーン情報は、時間情報、状態情報、及び制御目標情報を含む。ユーザーは、シーン設定モジュールによって事件とシーンの切り替え規則を定義することができ、自ら数組のシーンの順番を設定することもできる。シーンの設定は、シーン設定モジュールによって単独に付加することもでき、特定のシーンの使用過程におけるある制御目標状態の変更によって自動的に生成することもできる。一つの実施例では、シーン設定モジュールは、マンマシン相互（man-machine interaction）インターフェース及び／又は通信インターフェースを含む。マンマシン相互インターフェースとしては、モニタ、キーボード、又はタッチパネルが挙げられる。
【００３２】
事件入力モジュールは、現在のシーンの状態パラメータを受信し、シーンの変換を引き起こす事件を生成し、かつそれをシーン切り替え制御センターモジュールに送信するためのものである。一つの実施例では、事件入力モジュールは、一組のスマートセンサー組又は複数の分散するスマートセンサーであり、状態情報を収集してシーン切り替え制御センターモジュールに送信するためのものである。他の実施例では、事件入力モジュールは、通信インターフェースであり、ホーム設備から状態情報を読み取り、かつ状態情報をシーン切り替え制御センターモジュールに送信するためのものである。
【００３３】
シーン切り替え制御センターモジュールは、異なる環境条件における過去のシーンの使用頻度を保存しており、現在のシーンの状態パラメータ及び過去のシーンの履歴に基づき、数組のシーンを動態的に計算して優先順位に従って順番付ける。ユーザーの操作が発生するか又は状態パラメータの変化を引き起こす事件が発生する場合、対応する規則に基づき、シーンの切り替えを行う。また、シーン切り替え制御センターモジュールは、さらにユーザーがシーン選択モジュールによって確認されたシーン情報を受信し、かつ該シーン設定の制御目標に基づき、シーン執行モジュールに制御目標指令を出力するためのものである。シーン切り替え制御センターモジュールは、過去のシーンの履歴に基づき、シーンの優先順位を動態的に計算し、ユーザーがシーンへの選択方式を簡素化させ、シーンの選択効率を顕著に高め、かつ指定条件下で同時に数組のシーンを使用者の選択に提供し、使用者が多様性に対する要求を満足する。過去のシーンの履歴は、シーンの順番付けの根拠として、ユーザーが指定のシーンを選択する（例えば、ユーザーがよく選択するシーン）効率を高める。
【００３４】
シーン切り替え制御センターモジュールが計算して生成したのは、動態的な数組のシーンであり、現在のシーンの状態パラメータと異なるか又は過去のシーンの履歴が異なると、動態的に計算して得たシーンの順番付けも異なる。数組のシーンは、ユーザーがシステムによって予め定義することもでき、システムが現在のシーンの状態パラメータ又は過去のシーンの履歴に基づき、改めて動態的に計算して生成することもできる。
【００３５】
シーン切り替え制御センターモジュールは、過去のシーンの履歴に基づき、シーンを順番付ける場合、使用者が該環境条件における過去のシーンの使用頻度に基づき、シーンの優先順位を動態的に調整し、該シーンが次の該環境における出現率を計算する。
【００３６】
シーンの状態パラメータは、ドアのロック状態、温度、湿度、人員情報、照度などの環境パラメータを含み、さらにテレビ、エアコン、扇風機、デジタル写真立て、パソコン等家電の作業状態も含む。また、時間情報及び位置情報もシーン状態パラメータである。時間情報は、シーン切り替え制御センターモジュールのクロックチップの計算によって実現することも、通信インターフェースを通してチェック及び受信することもできる。シーン状態パラメータが多くて詳しいほど、シーン切り替え効果が精確で、ユーザーの確実な要求に近くなる。
【００３７】
シーンの変化を引き起こす事件は、ユーザーがシーンへの選択操作、現在のシーン状態パラメータの変化及び／又は異なる時間点での状態パラメータの組み合わせの変化がある。少なくとも前記１種類の事件が発生する場合、対応する切り替え規則に従ってシーンを切り替える。
【００３８】
異なる時間点での状態パラメータの組み合わせ変化は、仮想シーン事件であり、複数の異なる時間点での状態パラメータの変化を一つの時間順序における動態的な変化としてまとめ、このような動態的な変化は組み合わせ及び識別できるので、シーンの切り替えを引き起こす。
【００３９】
具体的に実施する際に、シーン切り替え制御センターモジュールは、スマートスマートスイッチに設置され、ある指定位置のシーンを制御するために用いられることができる。スマートホーム制御センターに応用され、ホーム環境全体内の全ての位置のシーン制御を制御するために用いられることもできる。パソコン、又は移動端末アプリケーション、例えば、携帯、ノートパソコンなどの移動端末のアプリケーションに応用され、ホーム環境におけるある指定位置又は全ての位置のシーンを制御するために用いられることもできる。また、シーン切り替え制御センターモジュールは、さらに一つの組込みプロセッサ及び運行するソフトによって実現できる。
【００４０】
シーン選択モジュールは、シーン切り替え制御センターモジュールが発信するシーン情報を確認するためのものである。具体的に実施する際に、シーン選択モジュールとは、スイッチ又はボタンが挙げられ、シングルクリック又は連続クリック操作によって選択し、かつシーン情報を確認できる。シーン選択モジュールもマンマシン相互ターミナル（例えば、パソコン又は移動端末）であることが可能であり、シーンの確認情報を得るためのものである。ユーザーは、シーン選択モジュールによってシーン情報を確認し、所望のシーンを実現する際に、シングルクリックしたが、所望のシーンではない場合、ユーザーは、連続操作して選択することによってシーンを切り替える。あるシーンがユーザーによって何度も連続操作してはじめて出力でき、かつユーザーによって実際に使用される場合、シーン切り替え制御センターモジュールは、ユーザーの使用記録及び状態情報に基づき、このシーンの順番を前にすることを自動的に判断することができる。ユーザーがシーン選択モジュールによって必要となるシーンを確認した後、しばらくの時間内（例えば１０ｓ）に該ボタンを操作しない場合、該時間が過ぎた後にこのボタンを押すと、シーン切り替え制御センターモジュールは、該シーンを閉めると判断し、ユーザー操作を簡素化する。
【００４１】
シーン執行モジュールは、シーン切り替え制御センターモジュールによって出力されたシーン情報に基づき、ホーム設備の作業状態を調整し、ホーム設備がシーン制御目標に合致させる。具体的に実施する際に、シーン執行モジュールは、複数の機能執行モジュールの集合でもよく、制御される設備に制御目標又は制御指令を出力するための一つの通信インターフェースでもよく、さらに両者の組み合わせでもよい。制御されるホーム設備は、照明設備、ステレオ設備、エアコン、電気暖房、デジタル写真立て、パソコン、テレビ、電気カーテン、セキュリティーシステム、空気清浄機、温水ヒーターなどの設備中の１種又は複数種である。
【００４２】
シーン予備モジュールは、条件に合致する予備シーンをチェック及び選択するものであり、また、確認される予備シーンをシーン切り替え制御センターモジュールに送信する。ユーザーは、シーン予備モジュールによって、条件に合致する予備シーンをチェック又は選択することができる。シーン切り替え制御センターモジュールによってシーン情報を出力し、かつシーン執行モジュールによってシーンの切り替えを執行する。具体的に実施する際に、シーン予備モジュールは、スマートホームシーンの切り替えシステムの選択可能なモジュールであり、モニタでも、タッチパネル又は音声提示設備でもよく、使用者に現在条件に合致する予備シーンを提供するためのものである。
【００４３】
本発明のスマートホームシーン切り替えシステムは、以下のホーム設備システム、例えば、照明システム、家庭ステレオ設備システム、家庭映画館システム、防盗警報システム、インターフォン及び監視システム、電動カーテンシステム、空気浄化システム、エアコンシステム、ソーラーエナジー、及び省エネシステム、給湯システムなどの１種又は複数種を制御することに関する。
【００４４】
以上の内容は、スマートホームシーン切り替えシステムの概括的分析である。以下は、本発明の目的を実現する３つの好ましい実施の形態を紹介する。具体的な実現するための構造を参酌しながら、本発明のスマートホームシーン切り替えシステムの作業原理を説明する。
【００４５】
実施例１：スマートスイッチモデル
【００４６】
スマートスイッチモデルにおいて、スマートスイッチは、組込みプロセッサを含み、シーン切り替え制御センターモジュールの機能を実現する。
【００４７】
有線又は無線の方式を通して、パソコン、移動端末などの設備によってシーン設定モジュールの機能を実現する。
【００４８】
スマートスイッチは、計時チップを含み、計時の機能を実現するためのものである。
【００４９】
スマートスイッチは、電気接続又は無線入力の方式を通して、人員情報、光照度などの状態センサーの測定情報、及び家電の作業状態情報を読み取り、事件入力モジュールの機能を実現する。
【００５０】
スマートスイッチは、モニター又はタッチパネルを通して、予備シーンの図標情報をリアルタイムに表示し、シーン予備モジュールの機能を実現する。
【００５１】
スマートスイッチは、ボタン、スイッチ又はタッチパネルの操作を通して、シーン確認情報を取得し、シーン選択モジュールの機能を実現する。
【００５２】
スマートスイッチは、電気接続、スイッチ、又はライトの明るさを調整することにより、シーン執行モジュールの機能を実現する。
【００５３】
実施例２：スマートホーム制御端末モデル
【００５４】
スマートホーム制御端末モデルでは、制御端末は組込みプロセッサを含み、シーン切り替え制御センターモジュールの機能を実現する。
【００５５】
スマートホーム制御端末は、有線又は無線の方式を通して、パソコン、移動端末などの設備によってシーン設定モジュールの機能を実現するか、モニタ又はタッチパネルによってシーン設定モジュールの機能を実現する。
【００５６】
スマートホーム制御端末は、計時チップを含み、計時機能を実現する。
【００５７】
スマートホーム制御端末は、有線又は無線の通信方式を通して、人員情報、照度、温度、湿度などの状態センサーの測定情報、及び家電の作業状態情報を読み取り、事件入力モジュールの機能を実現する。
【００５８】
スマートホーム制御端末は、それ自身又はスイッチのモニタ又はタッチパネルを通して、予備シーンの図標情報をリアルタイムに表示し、シーン予備モジュールの機能を実現する。
【００５９】
スマートホーム制御端末は、ボタン、スイッチ又はタッチパネルの操作により、シーン確認情報を取得し、シーン選択モジュールの機能を実現する。
【００６０】
スマートホーム制御端末は、電気接続あるいは有線又は無線の通信方法により、セキュリティーシステム、ライト、エアコン、電気暖房、電動カーテン、パソコン、テレビ、デジタル写真立ての作業状態を制御し、シーン執行モジュールの機能を実現する。
【００６１】
実施例３：移動端末アプリケーションモデル
【００６２】
移動端末のアプリケーションモデルでは、移動端末のプロセッサにより、シーン切り替え制御センターモジュールの機能を実現する。
【００６３】
移動端末アプリケーションは、自身のモニタ又はタッチパネルにより、シーン設定モジュールの機能を実現する。
【００６４】
移動端末アプリケーションは、移動端末に含まれる計時プログラムを利用して、計時機能を実現する。
【００６５】
移動端末アプリケーションは、有線又は無線の通信方法により、人員情報、光照度、温度、湿度などの状態センサーの測定情報、及び家電の作業状態情報を読み取り、事件入力モジュールの機能を実現する。
【００６６】
移動端末アプリケーションは、モニタ又はタッチパネルにより、予備シーンの図標情報をリアルタイムに表示し、シーン予備モジュールの機能を実現する。
【００６７】
移動端末アプリケーションは、ボタン又はタッチパネルの操作を捕ることにより、シーン確認情報を確認し、シーン選択モジュールの機能を実現する。
【００６８】
移動端末アプリケーションは、有線又は無線の通信方法により、セキュリティーシステム、ライト、エアコン、電気暖房、電動カーテン、パソコン、テレビ、デジタル写真立ての作業状態を制御し、シーン執行モジュールの機能を実現する。
【００６９】
以上が三つの具体的な実施例の制御システムである。モニタがいずれも配置されている場合、使用者の選択のために、モニタに現在提供した、順次配列された複数の予備シーンを動態的に表示することができ、直観的で分かりやすい。また、ユーザーは、制御システムに配置されたスイッチ又はボタンの連続操作により、望ましいシーンモデルを選択して確認することもでき、実現するのに簡単であり、コストが低い。
【００７０】
本発明は、スマートホームシーン切り替え方法及びシステムを提供する。本発明の発想をより明確に理解するために、以下に具体的なシーンの切り替えの実施例を通して本発明を説明する。
【００７１】
あるユーザーの自宅では、本発明のスマートホームシーン切り替えシステムが取り付けられている。スマートホーム制御端末のモデルによって以下のことを実現する。制御端末は、組込みプロセッサを含み、現在読み取った状態パラメータ及び履歴に基づき、順番付けられた数組のシーンを動態的に計算できる。ユーザーは、制御端末のボタンを制御することにより、シーンの選択確認を実現する。該スマートシーンの切り替えの機能を実現する前に、ユーザーはまず該スマート端末のシーン設定モジュールにより、一部の基本パラメータに対して設定する必要があり、例えば、制御端末により、複数のシーンモデルを改めて定義し、シーン番号をそれぞれ定義する。例えば、Ｓ０００：帰宅モデル、Ｓ００１：省電力モデル、Ｓ００２：接待モデル、Ｓ００３：ビデオ鑑賞モデル、Ｓ００４：寝るモデル、Ｓ００５：食事モデル、Ｓ００６：留守モデルなどがある。ユーザーは、スマート端末のモニタ、又はスマート端末の無線に接続されるパソコン、移動端末などを通して、このような関連するシーン情報に対して設定する。例えば、省電力モデルでは、リビングのライトを５０％開け、他のライトを閉めるように設定し、さらに、例えば、ビデオ鑑賞モデルでは、照明を３０％にするとともに、ステレオ効果を付けるように設定する。異なる地理位置には、独立のシーンを有することが可能であり、いくつかの地理位置に同じシーンを設けることも可能である。
【００７２】
設定が完了した後、該スマート端末は電気接続又は無線通信の形を通して人員情報（例えば、人が寄るか又は離れる）、光照度などの環境状態情報、時間位置情報、ユーザー操作情報又は家電の作業状態情報などを取得し、現在の制御端末における各シーンの優先順位を動態的に調整する。本実施例では、シーン配置情報は以下のとおりである。
【００７３】
時間が０６：００〜０９：００である場合、シーンの優先順位はＳ００５、Ｓ００６、Ｓ０００、Ｓ００１・・・である。
時間が１７：００〜１９：００である場合、シーンの優先順位はＳ０００、Ｓ００１、Ｓ００５、Ｓ００３・・・である。
時間が１９：００〜２３：００である場合、シーンの優先順位はＳ００３、Ｓ００１、Ｓ００４、Ｓ００５・・・である。
時間が２３：００〜０６：００である場合、シーンの優先順位はＳ００４、Ｓ００５、Ｓ００６、Ｓ０００・・・である。
【００７４】
ユーザーは制御端末ボタンを操作し、ボタンをシングルクリック又は連続操作することにより、自分が必要なシーン情報を順次に選択する。例えば、ユーザーが１７：３０に開錠して家に帰ってから、シングルクリック、つまりボタンを１回押すことにより、「Ｓ０００帰宅モデル」を直接スタートすることができる。この場合、リビングのライトが全開し、電動カーテンが全部開けられる。ユーザーが現在のシーンに満足しない場合、再びボタンを押し、つまりボタンを２回押すことにより、優先順位によって順番付けられた次のシーン、つまり「Ｓ００１省電力モデル」に切り替えることができる。この場合、リビングのライトが５０％開けられ、電動カーテンが半分開けられる。ユーザーが該シーンにも満足しない場合、さらにボタンを押し、つまりボタンを３回押すことにより、優先順位によって順番付けられた次のシーン、つまり「Ｓ００５食事モデル」に切り替えることができる。この場合、ダイニングのライトが全開し、リビングのライトが３０％のみ開けられる。ユーザーは、このような異なるボタン操作の回数により、シーンが現在の優先順位のＳ０００→Ｓ００１→Ｓ００５→Ｓ００３・・・のとおり順次に切り替える結果、最適なシーンを選択する。ユーザーが１９：００分に食事を済んだ後、シーンは読み取った状態情報に基づき、優先順位をＳ００３→Ｓ００１→Ｓ００４→Ｓ００５・・・のように自動的に調整し、ユーザーは端末ボタンを押す回数を制御することにより、異なるシーンモデルを順次に選択することができる。
【００７５】
ユーザーは端末のボタン操作を制御することにより、ある地理位置のみのシーン切り替えに用いられ、複数の位置のシーン切り替えにも用いられ、ユーザーは自分の実際の必要に応じて設定することができる。例えば、ユーザーはリビング、寝室の操作ボタンが各位置のシーンの切り替えのみを制御するように設定する場合、ユーザーがリビングのボタンを押すと、リビングシーンモデルに合致するいくつかのシーンのみが、ユーザーのボタン操作により、優先順位に従って順次に切り替えを行う一方、寝室のボタンを操作する場合、寝室シーンモデルに合致するいくつかのシーンのみが、ユーザーのボタン操作により、優先順位に従って順次に切り替えを行う。
【００７６】
シーンモデルは数組があり、各組のシーンモデルはそれぞれ異なる複数のシーンを含むことができ、各組のシーンモデルに含まれる複数のシーンを設定し、一つの操作ボタンによって切り替え選択を行うことができる。異なる複数のボタンによって、数組のシーンの切り替えをそれぞれ選択することができる。数組のシーンモデルは地理位置又は他の条件によって区分できる。ユーザーがあるシーンモデルへの使用頻度又は使用記録も保存でき、次のシーンの優先順位の計算に用いられる。
【００７７】
本発明のスマートホームシーン切り替え方法及びシステムは、このようなスマートシーン切り替えモデルにより、ユーザーがシーンモデルへの選択を行う際に、ユーザー操作を極めて簡素化させ、ユーザーがホームシーンモデルに対する選択の効率を高めることができる。
【００７８】
上記のものは本発明の好ましい実施例に過ぎず、本発明を限定するためのものではない。当業者にとって、本発明はたくさんの変更及び変化を有することができる。本発明の精神及び原則内に行われるいかなる変更、均等の取り替え、改良などはいずれも本発明の保護範囲内である。
【図１】
0006306727.tif 000002
【図２】
0006306727.tif 000003
【図３】
0006306727.tif 000004